(57)【要約】【課題】シートスルー式の画像読取装置において、原稿受けでの原稿スタック性を向上する。【解決手段】前後の搬送ローラ対で原稿搬送路４０を通してシート原稿を搬送しながら、その搬送するシート原稿の画像情報を固定位置の密着イメージセンサ（画像読取手段）で読み取るシートスルー式の画像読取装置において、下流側搬送ローラ対６４で画像情報読取り後のシート原稿６０を第１トレイ（第１の原稿受け）４５へと排出した後、切換えレバー（原稿搬送切換部材）４８を第２位置へと切り換えてその切換えレバー４８で、排出搬送ローラ（下流側搬送ローラ）５８上に残っているシート原稿６０の後端を押すように制御する。【選択図】図２
2009253939.tif 000002
【特許請求の範囲】
【請求項１】
原稿搬送路を搬送するシート原稿の画像情報を読み取る画像読取手段と、
その画像読取手段の原稿搬送方向上流位置に設けてシート原稿を前記画像読取手段に向けて搬送する上流側搬送ローラ対と、
前記画像読取手段の原稿搬送方向下流位置に設けて前記画像読取手段で画像情報読取り後のシート原稿を搬送する下流側搬送ローラ対と、
その下流側搬送ローラ対の原稿搬送方向下流位置で第１位置と第２位置とに切り換え可能に設け、第１位置としたとき前記下流側搬送ローラ対で搬送する画像情報読取り後のシート原稿をそのまま第１の原稿受けへと排出し、第２位置として別の第２の原稿受けへと排出する原稿搬送切換部材と、
が備えられているシートスルー式の画像読取装置において、
前記下流側搬送ローラ対で画像情報読取り後のシート原稿を前記第１の原稿受けへと排出した後、前記原稿搬送切換部材を前記第２位置へと切り換えてその原稿搬送切換部材でシート原稿の後端を押すことを特徴とするシートスルー式の画像読取装置。
【請求項２】
前記原稿搬送切換部材の第１位置と第２位置とが、ソレノイドにより切り換え可能とされることを特徴とする、請求項１に記載のシートスルー式の画像読取装置。
【請求項３】
前記ソレノイドを駆動したとき、前記原稿搬送切換部材が前記第２位置へと切り換えられることを特徴とする、請求項２に記載のシートスルー式の画像読取装置。
【請求項４】
前記ソレノイドを駆動したとき、前記原稿搬送切換部材が前記第１位置へと切り換えられることを特徴とする、請求項２に記載のシートスルー式の画像読取装置。
【請求項５】
前記原稿搬送切換部材の少なくとも表面が、原稿汚れの付着しにくい材料で形成されていることを特徴とする、請求項１ないし４のいずれか１に記載のシートスルー式の画像読取装置。
【請求項６】
前記原稿搬送切換部材の、シート原稿の後端を押す部分に丸みが付けられていることを特徴とする、請求項１ないし５のいずれか１に記載のシートスルー式の画像読取装置。
【請求項７】
前記画像読取手段が、前記原稿搬送路の下方に配置されていることを特徴とする、請求項１ないし６のいずれか１に記載のシートスルー式の画像読取装置。
【請求項８】
請求項１ないし７のいずれか１に記載のシートスルー式の画像読取装置が備えられていることを特徴とする画像形成装置。
【発明の詳細な説明】
【技術分野】
【０００１】
この発明は、複写機、ファクシミリ、またはそれらの複合機など、シート原稿の画像情報を読み取る機能と、画像情報を用紙、樹脂フィルム等の記録材に記録する機能とを有する画像形成装置に関する。および、そのような画像形成装置などにおいて、装置本体に搭載して、シート原稿の画像情報を読み取る画像読取装置、特に前後の搬送ローラ対で原稿搬送路を通してシート原稿を搬送しながら、その搬送するシート原稿の画像情報を固定位置の画像読取手段で読み取るシートスルー式の画像読取装置に関する。そのうち、カラーで読み取りを行う際や、Ａ２以上の広幅の原稿を読み取る際に有効な画像読取装置に関する。
【背景技術】
【０００２】
従来、画像読取手段を固定してシート原稿を移動させながら、その原稿面の画像情報を読み取るようにした、いわゆるシートスルータイプの画像読取装置においては、搬送ローラ対にて一定速度でシート原稿を搬送させて、読取位置に固定配置された密着イメージセンサ（ＣＩＳ）などの画像読取手段にて搬送原稿の画像情報を読み取っている。そのため、読取画像の高画質化には、シート原稿の搬送速度を一定に保ち、読取位置での原稿面を焦点距離から一定の位置に保つことが重要である。
【０００３】
そして、このような画像読取装置では、一般に、構成を簡略化してコストダウンを図るため、原稿受けの直前に設けて画像読取り後のシート原稿を原稿受けに排出積載する排紙ローラを省略し、画像読取手段の原稿搬送方向下流位置に設けられた下流側搬送ローラ対を、画像読取り後のシート原稿を原稿受けに排出積載する排紙ローラとしても用いるようにしていた。ところが、このような画像読取装置にあっては、シート原稿の後端が下流側搬送ローラの上に残ってしまい、スタック不良となって画像読取品質の低下を招くという問題があった。
【０００４】
このため、この種の画像読取装置の中には、例えば特許文献１に記載されているように、下流側搬送ローラと同軸にそれより径の大きいカム形状の排紙補助ローラを備え、湾曲させることでシート原稿にコシをつけて排紙時におけるシート原稿の座屈を防ぎ、シート原稿の後端が下流側搬送ローラを抜けた後に、この排紙補助ローラで原稿の後端を押し出すようにして後端が下流側搬送ローラの上に残ってしまうことを防ぎ、シート原稿をいためることなく排紙補助ローラで原稿受けへのシート原稿の搬送を補助してスタック性を向上させるようにしたものがある。
【０００５】
また、例えば特許文献２に記載されているように、下流側搬送ローラ対に互いに硬度の異なるゴムローラを備え、硬度の低い側のゴムローラの撓みによって下流側搬送ローラ対により挟持されたシート原稿を偏向させて、原稿受けに原稿が整然と排出積載されるようにしたものが知られている。
【特許文献１】特開２００５−１８７０８４号公報
【特許文献２】特開２００２−８７６７４号公報
【発明の開示】
【発明が解決しようとする課題】
【０００６】
しかしながら、特許文献１に記載されているような従来の画像読取装置にあっては、排紙補助ローラが下流側搬送ローラよりも大径であるため、原稿搬送速度が一定せずに搬送速度ムラを生ずるとともに、原稿を湾曲させてコシをつけるためにシート原稿が平坦でなく波を打ち、焦点距離がずれて画像読取手段における画像読取品質が低下する一方、排紙補助ローラに付着した汚れがシート原稿の原稿面に付きやすいという問題があった。
【０００７】
また、特許文献２に記載されているような従来の画像読取装置にあっては、互いに硬度の異なるゴムローラ対により原稿を挟持させているため、硬度の低い側のゴムローラの撓みにより原稿の搬送速度が変化して搬送速度ムラを生じ、画像読取品質が低下する問題があり、また硬度の高い側のゴムローラの接触圧力によりローラに付着した汚れやローラ自体のゴムなどが原稿面に付着し、下流側搬送ローラ対にゴムを使用した場合は、同じ原稿を何度も通紙すると、原稿汚れなどを生ずるという問題もあった。
【０００８】
そこで、この発明の第１の目的は、シートスルー式の画像読取装置において、シート原稿の搬送速度ムラを生じたり、画像読取手段の焦点距離がずれたりして画像読取品質が低下するおそれをなくすとともに、原稿を汚さずに、原稿受けでの原稿スタック性を向上することにある。
【０００９】
この発明の第２の目的は、原稿搬送切換部材を安価な手段で駆動して画像読取装置のコストの低減を図ることにある。
【００１０】
この発明の第３の目的は、重量の軽い原稿搬送切換部材を使用した場合にも、原稿搬送切換部材を第２位置へと確実に切り換え可能とすることにある。
【００１１】
この発明の第４の目的は、重量の重い原稿搬送切換手段を使用した場合には、エネルギ消費を低減することにある。
【００１２】
この発明の第５の目的は、原稿汚れを一層確実に防止することにある。
【００１３】
この発明の第６の目的は、原稿をいためるおそれをなくすことにある。
【００１４】
この発明の第７の目的は、画像読取済みの原稿を原稿受けにページ順にスタック可能とすることにある。
【００１５】
この発明の第８の目的は、シート原稿の画像情報を読み取る機能を有する画像形成装置において、シート原稿の搬送速度ムラを生じたり、画像読取手段の焦点距離がずれたりして画像読取品質が低下するおそれをなくすとともに、原稿を汚さずに、原稿受けでの原稿スタック性を向上することにある。
【課題を解決するための手段】
【００１６】
請求項１に記載の発明は、
原稿搬送路を搬送するシート原稿の画像情報を読み取る密着イメージセンサ（ＣＩＳ）などの画像読取手段と、
その画像読取手段の原稿搬送方向上流位置に設けてシート原稿を画像読取手段に向けて搬送する上流側搬送ローラ対と、
画像読取手段の原稿搬送方向下流位置に設けて画像読取手段で画像情報読取り後のシート原稿を搬送する下流側搬送ローラ対と、
その下流側搬送ローラ対の原稿搬送方向下流位置で第１位置と第２位置とに切り換え可能に設け、第１位置としたとき下流側搬送ローラ対で搬送する画像情報読取り後のシート原稿をそのまま第１の原稿受けへと排出し、第２位置として別の第２の原稿受けへと排出する分岐爪、分岐板等の原稿搬送切換部材と、
が備えられているシートスルー式の画像読取装置において、
下流側搬送ローラ対で画像情報読取り後のシート原稿を第１の原稿受けへと排出した後、原稿搬送切換部材を第２位置へと切り換えてその原稿搬送切換部材でシート原稿の後端を押すことを特徴とする。
【００１７】
請求項２に記載の発明は、請求項１に記載のシートスルー式の画像読取装置において、原稿搬送切換部材の第１位置と第２位置とが、ソレノイドにより切り換え可能とされることを特徴とする。
【００１８】
請求項３に記載の発明は、請求項２に記載のシートスルー式の画像読取装置において、ソレノイドを駆動したとき、原稿搬送切換部材が第２位置へと切り換えられることを特徴とする。
【００１９】
請求項４に記載の発明は、請求項２に記載のシートスルー式の画像読取装置において、ソレノイドを駆動したとき、原稿搬送切換部材が第１位置へと切り換えられることを特徴とする。
【００２０】
請求項５に記載の発明は、請求項１ないし４のいずれか１に記載のシートスルー式の画像読取装置において、原稿搬送切換部材の少なくとも表面が、原稿汚れの付着しにくい材料で形成されていることを特徴とする。
【００２１】
請求項６に記載の発明は、請求項１ないし５のいずれか１に記載のシートスルー式の画像読取装置において、原稿搬送切換部材の、シート原稿の後端を押す部分に丸みが付けられていることを特徴とする。
【００２２】
請求項７に記載の発明は、請求項１ないし６のいずれか１に記載のシートスルー式の画像読取装置において、画像読取手段が、原稿搬送路の下方に配置されていることを特徴とする。
【００２３】
請求項８に記載の発明は、請求項１ないし７のいずれか１に記載のシートスルー式の画像読取装置が備えられていることを特徴とする、用紙、樹脂フィルム等の記録材に画像を記録する複写機、ファクシミリなどの画像形成装置である。
【発明の効果】
【００２４】
請求項１に記載の発明によれば、下流側搬送ローラと同軸に排紙補助ローラを設けたり、下流側搬送ローラ対に互いに硬度の異なるゴムローラを用いたりしないで、下流側搬送ローラ対で画像情報読取り後のシート原稿を第１の原稿受けへと排出した後、原稿搬送切換部材を第２位置へと切り換えてその原稿搬送切換部材でシート原稿の後端を押すように制御することにより、シート原稿の搬送速度ムラを生じたり、画像読取手段の焦点距離がずれたりして画像読取品質が低下するおそれをなくすとともに、原稿を汚さずに、原稿受けでの原稿スタック性を向上して原稿受けに大量のシート原稿をスタックすることができる。
【００２５】
請求項２に記載の発明によれば、原稿搬送切換部材の第１位置と第２位置とが、ソレノイドにより切り換え可能とされるので、安価なソレノイドを用いて原稿搬送切換部材を駆動して画像読取装置のコストの低減を図ることができる。
【００２６】
請求項３に記載の発明によれば、ソレノイドを駆動したとき、原稿搬送切換部材が第２位置へと切り換えられるようにするので、重量の軽い原稿搬送切換部材を使用した場合にも、原稿搬送切換部材の重量だけでなくソレノイドの駆動力も加えて、シート原稿の後端を押し、原稿搬送切換部材を第２位置へと確実に切り換えることができる。
【００２７】
請求項４に記載の発明によれば、ソレノイドを駆動したとき、原稿搬送切換部材が第１位置へと切り換えられるので、重量の重い原稿搬送切換部材を使用した場合には、原稿搬送切換部材の重量だけで十分にシート原稿の後端を押すことができるから、原稿搬送切換部材を第２位置へと切り換えるときは、ソレノイドを駆動しないようにしてエネルギ消費を低減することができる。
【００２８】
請求項５に記載の発明によれば、原稿搬送切換部材の少なくとも表面が、原稿汚れの付着しにくい材料で形成されているので、原稿搬送切換部材の汚れを防いで原稿搬送切換部材から原稿面への転写をなくし、原稿汚れを一層確実に防止することができる。
【００２９】
請求項６に記載の発明によれば、原稿搬送切換部材の、シート原稿の後端を押す部分に丸みが付けられているので、原稿の後端をいためるおそれをなくすことができる。
【００３０】
請求項７に記載の発明によれば、画像読取手段が、原稿搬送路の下方に配置されているので、第１ページ目から送り出したシート原稿を順に読み取り、その画像読取済みの原稿を裏返して原稿受けにページ順にスタックすることができる。
【００３１】
請求項８に記載の発明によれば、請求項１ないし７のいずれか１に記載のシートスルー式の画像読取装置が備えられている画像形成装置であるので、シート原稿の搬送速度ムラを生じたり、画像読取手段の焦点距離がずれたりして画像読取品質が低下するおそれをなくすとともに、原稿を汚すことなく、原稿受けでの原稿スタック性を向上することができる。
【発明を実施するための最良の形態】
【００３２】
以下、図面を参照しつつ、この発明の実施の最良形態につき説明する。
図１には、シートスルー式の画像読取装置が備えられている画像形成装置の要部の概略構成を示す。図中符号１００は画像形成装置本体、符号２００はその画像形成装置本体１００上に搭載するシートスルー式の画像読取装置である。
【００３３】
まず、画像形成装置本体１００内には、図中反時計まわりに回転されるドラム状の像担持体１０が備えられている。像担持体１０のまわりには、上方に設置される帯電装置１２から、回転方向に沿って露光装置１３、現像装置１４、転写分離装置１５、クリーニング装置１６、除電装置１７などが順に配置されている。
【００３４】
像担持体１０の下方には、転写分離装置１５との間の転写分離位置Ｔを通って、図中左から右に向けて、用紙、樹脂フィルム等の記録材が搬送される記録材搬送路１８が形成されている。記録材搬送路１８には、転写分離位置Ｔの上流にレジストローラ対２０が設けられ、下流に記録材搬送装置２２、定着装置２３、搬送ローラ対２４が順に設置されている。搬送ローラ対２４位置の下流で、記録材搬送路１８は、再給紙路２５と排紙路２６とに分岐されており、分岐位置には、切換えレバー２７が配置されている。排紙路２６は、上向きに反転されるように形成されており、最下流位置に排紙ローラ対２８が備えられている。
【００３５】
画像形成装置本体１００上には、排紙ローラ対２８によって排出される記録材を受ける排紙受け３０が形成されている。また、図示省略するが、画像形成装置本体１００の右側面には、両面ユニットが取り付けられている。両面ユニットは、再給紙路２５を通して搬送されてきた記録材を反転して画像形成装置本体１００に戻し、画像形成装置本体１００内を通してレジストローラ対２０の上流位置に再給紙する。
【００３６】
次に、シートスルー式の画像読取装置２００には、図中左から右に向けてシート原稿が搬送される原稿搬送路４０が水平に形成されている。原稿搬送路４０は、最上流位置に、読取り画像面を下にしてシート原稿を積載して載置する原稿載置台４２が、上方を開放して設けられている。下流では、第１排出路４３と第２排出路４４とに分岐されており、分岐位置には、原稿搬送切換部材である切換えレバー４８が配置されている。
【００３７】
切換えレバー４８は、第１位置と第２位置とに切り換え可能に設ける。そして、切換えレバー４８を切り換えて第１位置としたとき、原稿搬送路４０を搬送されてきた画像読取り済みのシート原稿は、第１排出路４３に進んでそのまま矢印ｂ方向に搬送され、画像読取装置２００に水平に外付けされた第１の原稿受けである第１トレイ４５上に排出される。他方、切換えレバー４８を切り換えて第２位置としたとき、原稿搬送路４０を搬送されてきた画像読取り済みのシート原稿は、第２排出路４４に進んで、反転して搬送され、最下流に設置される排出ローラ対４６で矢印ｃ方向に搬送されて、画像読取装置２００上に立てて外付けされた第２の原稿受けである第２トレイ４７上に排出されるようになっている。
【００３８】
画像読取装置２００内には、原稿搬送路４０の上に、その原稿搬送路４０を搬送するシート原稿の画像情報を読み取る画像読取手段として、密着型読取センサである密着イメージセンサ（ＣＩＳ）５０が位置固定で備えられている。密着イメージセンサ５０には、原稿搬送路４０に面してコンタクトガラス５１が設けられ、また原稿に光を照射する照明手段と、原稿からの反射光を収束する結像レンズと、結像レンズで収束されて受光面で結像した光を光電変換するイメージセンサとが設けられている。その密着イメージセンサ５０を挟んで原稿搬送方向上流位置には第２の原稿検知センサ５２、下流位置には第３の原稿検知センサ５３が配置されており、さらに第２の原稿検知センサ５２の上流側に入口搬送ローラ５４、第３の原稿検知センサ５３の下流側に出口搬送ローラ５５が配置されている。入口搬送ローラ５４および出口搬送ローラ５５は、発泡ゴムよりなる。さらに、入口搬送ローラ５４の直ぐ上流位置には、第１の原稿検知センサ５６が配置されている。
【００３９】
原稿搬送路４０の下には、不図示の筐体で各々軸受を介して２つのローラ軸が支持され、それらのローラ軸上に複数のゴムローラが間隔をあけて設けられて２つの搬送ローラ５７、５８が互いに平行に、原稿搬送方向に間隔をあけて備えられている。２つの搬送ローラ５７、５８間には、密着イメージセンサ５０の真下に白色ローラ６２が備えられている。そして、挿入搬送ローラ５７には不図示の付勢部材により入口搬送ローラ５４が押し当てられて上流側搬送ローラ対６３が形成され、排出搬送ローラ５８には不図示の付勢部材により出口搬送ローラ５５が押し当てられて下流側搬送ローラ対６４が形成されている。
【００４０】
さて、いま図示画像形成装置を用いて複数枚のシート原稿のコピーを取るときは、それらのシート原稿を原稿載置台４２上に積載してセットし、スタートスイッチをオンする。すると、不図示のステップモータ等で構成したスキャナモータが駆動されてその駆動力がタイミングベルト等の駆動伝達手段を介して搬送ローラ５７、５８に伝達される。挿入搬送ローラ５７は、電磁ブレーキクラッチを介して駆動制御されており、第１の原稿検知センサ５６の原稿挿入検知信号により電磁ブレーキクラッチが作動して駆動される。原稿先端が排出搬送ローラ５８を通過後、原稿後端が第１の原稿検知センサ５６を通過するまでの所定任意位置で電磁ブレーキクラッチの作動が切れるようにしており、先行している原稿が原稿読取装置２００から排出されるまで、次の原稿が挿入できないようにしている。さらに、スキャナモータの駆動力は、ギア、タイミングベルトを介して排出ローラ対４６に伝達されている。
【００４１】
原稿載置台４２上のシート原稿は、不図示の給送ローラの回転により図１の矢印ａ方向に送り込まれ、第１の原稿検知センサ５６でシート原稿の挿入が検知されてから、挿入搬送ローラ５７と入口搬送ローラ５４との間に挿入されて上流側搬送ローラ対６３で原稿搬送路４０を通して搬送され、その搬送原稿の画像情報が固定位置の密着イメージセンサ５０で読み取られるようになっている。そして、画像読取り済みのシート原稿が下流側搬送ローラ対６４で搬送され、切換えレバー４８で切り換えて第１トレイ４５または第２トレイ４７上に排出される。
【００４２】
このとき、第１の原稿検知センサ５６で原稿の挿入を検知するとともに原稿サイズを検知し、第２の原稿検知センサ５２の手前で一時停止して、任意設定された待機時間後にスキャナモータを再回転し、密着イメージセンサ５０と白色ローラ６２間に搬送される。そして、第２の原稿検知センサ５２で原稿の先端を検知してから所定のパルス数経過後に、密着イメージセンサ５０で読取り画像面の読取りを開始するようにし、そののち第３の原稿検知センサ５３で原稿の通過を検知する。
【００４３】
画像形成装置本体１００では、像担持体１０を回転して帯電装置１２で表面を一様に帯電し、次いで密着イメージセンサ５０の読取り内容に基づき露光装置１３で書き込みを行って静電潜像を形成し、そののち現像装置１４でトナーを付着することによりその静電潜像を現像して像担持体１０上にトナー像を形成する。
【００４４】
他方、記録材セット位置から適宜のタイミングで記録材を給送して記録材搬送路１８を通して搬送し、レジストローラ対２０でタイミングを取って転写分離位置Ｔに記録材を送り込み、上述したごとく像担持体１０上に形成したトナー像を転写分離装置１５で記録材に転写するとともに、トナー像転写後の記録材を像担持体１０から分離し、記録材搬送装置２２で搬送して定着装置２３で転写画像を定着して後、切換えレバー２７で切り換えて矢印ｄ方向に搬送し、排紙受け３０上に排出する。裏面にも画像を形成するときには、切換えレバー２７で切り換えて矢印ｅ方向に搬送し、不図示の両面ユニットで反転して再給紙する。
【００４５】
図２には、画像読取装置２００における切換えレバー４８まわりを拡大して示す。
図示するように、切換えレバー４８は、支軸６６を中心として回動可能に備えられ、常時は付勢部材６７により時計まわりに付勢されて不図示のストッパに当接され、第１位置に保持されている。そして、上述したように、原稿搬送路４０を搬送されてきた画像読取り済みのシート原稿６０が、第１排出路４３に進んで、第１の原稿受けである第１トレイ４５上に排出されるようになっている。
【００４６】
切換えレバー４８には、また、ソレノイド６８が接続されており、切換えレバー４８は、そのソレノイド６８により第１位置と第２位置とに切り換え可能とされている。そして、ソレノイド６８を駆動して、付勢部材６７の付勢力に抗して切換えレバー４８を反時計まわりに回動し、切換えレバー４８を切り換えて第２位置とすることで、原稿搬送路４０を搬送されてきた画像読取り済みのシート原稿６０を、第２排出路４４を通して排出ローラ対４６で、第２の原稿受けである第２トレイ４７上に排出することができるようになっている。
【００４７】
ところで、切換えレバー４８を第１位置として画像読取り済みのシート原稿６０を第１トレイ４５上に排出するとき、図２に示すように、原稿後端が排出搬送ローラ５８上に残ってしまい、原稿が完全に第１トレイ４５上に落ち切れずに、スタック不良となる場合があり、問題となっている。そこで、この発明では、下流側搬送ローラ対６４で画像情報読取り後のシート原稿６０を第１トレイ４５へと排出した後、すぐに切換えレバー４８を第２位置へと切り換えてその切換えレバー４８でシート原稿６０の後端を押すように制御する。
図３には、その切換えレバー４８でシート原稿６０の後端を押した状態を示す。
【００４８】
このようにすると、図３に示すように切換えレバー４８で、排出搬送ローラ５８上に残っているシート原稿６０の後端を押して、下流側搬送ローラ対６４で搬送したシート原稿６０を第１トレイ４５上へと落とすことができ、シート原稿６０の搬送速度ムラを生じたり、密着イメージセンサ５０の焦点距離がずれたりして画像読取品質が低下するおそれをなくすとともに、原稿６０を汚さずに、単に原稿読取終了後に切換えレバー４８を切り換えるだけで、読取画像に影響を与えることなく、第１トレイ４５での原稿スタック性を向上して第１トレイ４５に大量のシート原稿をスタックすることができる。
【００４９】
この例のように、切換えレバー４８の第１位置と第２位置とを、安価なソレノイド６８を駆動して切り換えるようにすると、画像読取装置２００のコストの低減を図ることができる。また、ソレノイド６８を駆動したときに、切換えレバー４８が第２位置へと切り換えられるようにすると、重量の軽い切換えレバー４８を使用した場合にも、切換えレバー４８の重量だけでなくソレノイド６８の駆動力も加えて、シート原稿６０の後端を押し、シート原稿６０を第１トレイ４５上へと着実に落とすとともに、切換えレバー４８を第２位置へと確実に切り換えることができる。
【００５０】
図４および図５には、他例の切換えレバー４８まわりを示す。図４は第１位置に保持されている状態、図５には切換えレバー４８が第２位置に保持されている状態を示す。
この例では、支軸６６を中心として回動可能に備えられている切換えレバー４８が、逆に常時は付勢部材６７により反時計まわりに付勢されて不図示のストッパに当接され、図５に示すように第２位置に保持されており、ソレノイド６８を駆動したとき、切換えレバー４８が図４に示すように第１位置へと切り換えられるようにしている。
【００５１】
そして、はじめソレノイド６８を駆動して切換えレバー４８を図４に示すように第１位置に保持し、下流側搬送ローラ対６４で画像情報読取り後のシート原稿６０を第１トレイ４５へと排出した後、ソレノイド６８を切って切換えレバー４８を図５に示すように第２位置へと切り換えてその切換えレバー４８でシート原稿６０の後端を押す。このようにすると、重量の重い切換えレバー４８を使用した場合には、切換えレバー４８の重量だけで十分にシート原稿６０の後端を押すことができるから、切換えレバー４８を第２位置へと切り換えるとき、すなわち図４に示す状態から図５に示す状態とするときは、ソレノイド６８を切るようにしてエネルギ消費を低減することができる。
【００５２】
さて、上述した切換えレバー４８は、表面にテフロン（登録商標）コーティングを施すなどして、少なくとも表面が、原稿汚れの付着しにくい材料で形成されている。このようにすると、切換えレバー４８の汚れを防いで切換えレバー４８から原稿面への汚れの転写をなくし、原稿汚れを一層確実に防止することができる。もちろん、切換えレバー４８の表面だけでなく全体を、原稿汚れの付着しにくい材料で形成するようにしてもよい。
【００５３】
また、切換えレバー４８には、シート原稿６０の後端を押す部分に丸みが付けられている。このようにすると、切換えレバー４８のエッジにより原稿６０の後端をいためるおそれをなくすことができる。
【００５４】
図６には、シートスルー式の画像読取装置２００が備えられている画像形成装置の他例を示す。
この例の画像形成装置では、図１に示す画像読取装置２００において、原稿搬送路４０の上に配置されている密着イメージセンサ５０、第２の原稿検知センサ５２、第３の原稿検知センサ５３、入口搬送ローラ５４、出口搬送ローラ５５、第１の原稿検知センサ５６と、原稿搬送路４０の下に配置されている白色ローラ６２、挿入搬送ローラ５７、排出搬送ローラ５８とが上下逆になっている。その他は、まったく同一の構成となっており、図２において、対応する部分には図１と同一の符号が付されている。
【００５５】
このようにすると、密着イメージセンサ５０が、原稿搬送路４０の下方に配置されることとなるので、原稿載置台４２上に裏返してページ順に積載されたシート原稿を、第１ページ目から送り出して順に読み取り、その画像読取済みの原稿６０を裏返しの状態のまま第１トレイ４５上に排出して、ページ順が狂うことなく、第１トレイ４５上にページ順にスタックすることができる。
【図面の簡単な説明】
【００５６】
【図１】シートスルー式の画像読取装置が備えられている画像形成装置の要部の概略構成図である。
【図２】その画像読取装置における切換えレバーまわりの拡大構成図である。
【図３】その切換えレバーでシート原稿の後端を押した状態図である。
【図４】他例の切換えレバーまわりを示し、切換えレバーがソレノイドの駆動力で第１位置に保持されている状態図である。
【図５】ソレノイドを切って切換えレバーが付勢部材の付勢力で第２位置に保持されている状態図である。
【図６】シートスルー式の画像読取装置が備えられている画像形成装置の他例の要部の概略構成図である。
【符号の説明】
【００５７】
４０    原稿搬送路
４２    原稿載置台
４３    第１排出路
４４    第２排出路
４５    第１トレイ（第１の原稿受け）
４６    排出ローラ対
４７    第２トレイ（第２の原稿受け）
４８    切換えレバー（原稿搬送切換部材）
５０    密着イメージセンサ（画像読取手段）
６０    画像読取り済みのシート原稿
６３    上流側搬送ローラ対
６４    下流側搬送ローラ対
６６    支軸
６７    付勢部材
６８    ソレノイド
１００    画像形成装置本体
２００    シートスルー式の画像読取装置
【図１】
2009253939.tif 000003
【図２】
2009253939.tif 000004
【図３】
2009253939.tif 000005
【図４】
2009253939.tif 000006
【図５】
2009253939.tif 000007
【図６】
2009253939.tif 000008